(57)【要約】      （修正有）【課題】製造コストの上昇を抑えながら、防水性を確保可能な計器装置を提供する。【解決手段】指針４０とこの指針４０によって指示される計測値表示部を有する表示板５０とからなる情報表示体Ｄ１と、この情報表示体Ｄ１の可視領域を定めるための開口部８１を有し、所定の間隔を有して表示板５０の視認者側に配置される前面側筐体８０と、指針４０の作動範囲を取り巻くように前面側筐体８０に取り付けられる装飾部材９０とを有し、装飾部材９０は、前面側筐体８０に形成された結合用孔部８２ｃに溶着可能に設けられる溶着用突起（溶着部）９１を備え、表示板５０と前面側筐体８０との間には、装飾部材９０と重なるように防水機能を少なくとも有する弾性部材１１０が介装されている。【選択図】図２
2017083275.tif 000002
【特許請求の範囲】
【請求項１】
指針と前記指針によって指示される計測値表示部を有する前面パネルとからなる情報表示体と、
前記情報表示体の可視領域を定めるための開口部を有し、所定の間隔を有して前記前面パネルの視認者側に配置される前面側筐体と、
前記指針の作動範囲を取り巻くように前記前面側筐体に取り付けられる装飾部材とを有し、
前記装飾部材は、前記前面側筐体に形成された結合用孔部に溶着可能に設けられる溶着部を備え、
前記前面パネルと前記前面側筐体との間には、前記装飾部材と重なるように防水機能を少なくとも有する弾性部材が介装されていることを特徴とする計器装置。
【請求項２】
計器用ディスプレイと前記計器用ディスプレイに対応して貫通部または透視部が形成された前面パネルとからなる情報表示体と、
前記情報表示体の可視領域を定めるための開口部を有し、所定の間隔を有して前記前面パネルの視認者側に配置される前面側筐体と、
前記計器用ディスプレイを取り巻くように前記前面側筐体に取り付けられる装飾部材とを有し、
前記装飾部材は、前記前面側筐体に形成された結合用孔部に溶着可能に設けられる溶着部を備え、
前記前面パネルと前記前面側筐体との間には、前記装飾部材と重なるように防水機能を少なくとも有する弾性部材が介装されていることを特徴とする計器装置。
【請求項３】
前記弾性部材は、前記前面パネルに当接する底面部を備えていることを特徴とする請求項１または請求項２記載の計器装置。
【請求項４】
前記弾性部材は、前記前面側筐体に当接する前面部を備え、前記前面部は、前記溶着部を収容するための窪み部を有していることを特徴とする請求項１から請求項３のうち何れか１つに記載の計器装置。
【発明の詳細な説明】
【技術分野】
【０００１】
本発明は、例えば車両に搭載された速度計等の計器装置に関するものである。
【背景技術】
【０００２】
従来より、この種の計器装置にあっては、例えば下記特許文献１に記載されているものが知られている。この特許文献１に記載の計器装置は、車両に搭載された車両用計器からなり、指針と当該指針によって指示される目盛等の計測値表示部を有する表示板とからなる情報表示体と、この情報表示体の視認者側に配置され、指針及び記計測値表示部に対応する開口部を有する樹脂製の見返し部材（前面側筐体）と、この見返し部材に設けられた貫通孔に取り付けられるとともに情報表示体の輪郭を形成する樹脂製のリング状の装飾部材とを備えているものである。
【先行技術文献】
【特許文献】
【０００３】
【特許文献１】特開２０１３−７６５７１号
【発明の概要】
【発明が解決しようとする課題】
【０００４】
しかしながら、従来の計器装置の場合、見返し部材（前面側筐体）や装飾部材の成型時の寸法公差によって、見返し部材と（見返し部材の前記貫通孔に配置される）装飾部材との間に微小なクリアランスが生じてしまう場合があり、この場合、当該クリアランスから計器装置内部に水などの水分が侵入することが考えられ、防水性を確保することができないという問題がある。
【０００５】
また、見返し部材の前記貫通孔に配置される装飾部材において、当該装飾部材の下端部が前記貫通孔の裏側に僅かに突出する（飛び出す）ような場合、水分の計器装置内部への侵入を防止するために、この飛び出した装飾部材の下端部を溶着によって見返し部材に取り付け、さらにこの溶着部分が内部に埋まるように手作業によって接着剤を塗布することが考えられるが、このように手作業によって接着剤を塗布する方式では、手間がかかり、計器装置を製造するための製造コストの上昇を招く虞がある。
そこで本発明は、前述の課題に対して対処するため、製造コストの上昇を抑えながら、防水性を確保することが可能な計器装置の提供を目的とするものである。
【課題を解決するための手段】
【０００６】
本発明は、指針と前記指針によって指示される計測値表示部を有する前面パネルとからなる情報表示体と、前記情報表示体の可視領域を定めるための開口部を有し、所定の間隔を有して前記前面パネルの視認者側に配置される前面側筐体と、前記指針の作動範囲を取り巻くように前記前面側筐体に取り付けられる装飾部材とを有し、前記装飾部材は、前記前面側筐体に形成された結合用孔部に溶着可能に設けられる溶着部を備え、前記前面パネルと前記前面側筐体との間には、前記装飾部材と重なるように防水機能を少なくとも有する弾性部材が介装されていることを特徴とする。
【０００７】
また本発明は、計器用ディスプレイと前記計器用ディスプレイに対応して貫通部または透視部が形成された前面パネルとからなる情報表示体と、前記情報表示体の可視領域を定めるための開口部を有し、所定の間隔を有して前記前面パネルの視認者側に配置される前面側筐体と、前記計器用ディスプレイを取り巻くように前記前面側筐体に取り付けられる装飾部材とを有し、前記装飾部材は、前記前面側筐体に形成された結合用孔部に溶着可能に設けられる溶着部を備え、前記前面パネルと前記前面側筐体との間には、前記装飾部材と重なるように防水機能を少なくとも有する弾性部材が介装されていることを特徴とする。
【０００８】
また本発明は、前記弾性部材は、前記前面パネルに当接する底面部を備えていることを特徴とする。
【０００９】
また本発明は、前記弾性部材は、前記前面側筐体に当接する前面部を備え、前記前面部は、前記溶着部を収容するための窪み部を有していることを特徴とする。
【発明の効果】
【００１０】
本発明によれば、初期の目的を達成でき、製造コストの上昇を抑えながら、防水性を確保することが可能な計器装置を提供できる。
【図面の簡単な説明】
【００１１】
【図１】本発明の第１実施形態による計器装置の要部正面図。
【図２】図１のＡ−Ａ断面図。
【図３】同実施形態による表示板と前面側筐体と装飾部材とを示す要部拡大断面図。
【図４】本発明の第２実施形態による計器装置の要部正面図。
【図５】図４のＢ−Ｂ断面図。
【発明を実施するための形態】
【００１２】
（第１実施形態）以下、図１〜図３に基づいて、本発明の計器装置を自動２輪車のハンドル中央に搭載されたアナログ式の速度計に適用した一実施形態を説明する。
【００１３】
図１、図２において、本実施形態による速度計（計器装置）は、回路基板１０と、この回路基板１０に導通装着され回転軸２０が前方に延びる駆動装置３０と、回転軸２０にて回転駆動される指針４０と、この指針４０の背後に位置して回路基板１０上に配置される表示板（前面パネル）５０と、この表示板５０を照明する光源６０と、回路基板１０と表示板５０との間に配置されるケース体７０と、所定の間隔を有して表示板５０の前方側（つまり速度計を視認する視認者側）に配置される前面側筐体８０と、指針４０の作動範囲を取り巻くように前面側筐体８０に取り付けられる装飾部材９０と、前面側筐体８０に形成される後述する開口窓を塞ぐように配置される透視パネル１００と、表示板５０と前面側筐体８０との間に介装される弾性部材１１０とを有している。なお、ここでの前記視認者とは、自動２輪車に搭乗する搭乗者のことを指す。
【００１４】
回路基板１０は、例えばガラスエポキシ系基材に配線パターン（図示せず）が施された硬質の配線基板からなり、光源６０と、駆動装置３０を駆動・制御する駆動手段（図示せず）と、抵抗、コンデンサ等の各種回路部品（図示せず）とが前記配線パターンに導通接続されている。
【００１５】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記駆動手段）に電気接続される。
【００１６】
指針４０は、回転軸２０の先端に連結され、その回転中心部には遮光性カバー４１が装着されている。
【００１７】
表示板５０は、指針４０の回転軌道（作動範囲）に沿った円弧状の配列形状を有し、指針４０によって指示される目盛、数字等からなる計測値表示部５１と、この計測値表示部５１の背景を形成する背景部５２とを備えている。
【００１８】
これら計測値表示部５１、背景部５２は、計測値表示部５１が例えば白色の透光性インクにより、背景部５２が例えば黒色の遮光性インクにより、それぞれ表示板５０の母材となる薄板状の透光性基材（図示せず）の前面（あるいは背面）に印刷形成される。なお、本例の場合、指針４０と表示板５０で指針式表示部としての情報表示体Ｄ１が構成されているものとする。
【００１９】
光源６０は、例えば白色光を発するチップ型発光ダイオードからなり、表示板５０の背後側となる回路基板１０上に複数個配置され、計測値表示部５１を白色に発光させる発光体である。
【００２０】
ケース体７０は、例えば白色系の合成樹脂材料によって形成され、表示板５０を保持する保持体としての機能、光源６０を収納するハウジングとしての機能、光源６０から発せられる光を前方側（つまり速度計を視認する視認者側）に反射する反射体としての機能を有している。
【００２１】
このケース体７０は、回転軸２０を包囲する筒状部７１と、この筒状部７１を取り巻くように表示板５０側に傾斜して延び光源６０と対向する第１の反射壁部７２と、光源６０を収納する開放部７３と、この開放部７３から外周に向けて表示板５０に近接する皿形状の環状壁からなる第２の反射壁部７４とを備えている。
【００２２】
この場合、第１の反射壁部７２は、光源６０からの照明光を主に外周に向けて放射状に反射する反射面を構成し、また第２の反射壁部７４は、第１の反射壁部７２を通じて外周に反射された光を表示板５０側に反射する反射面を構成している。
【００２３】
前面側筐体８０は、例えば黒色の合成樹脂材料によって形成され、指針４０と表示板５０とからなる情報表示体Ｄ１の可視領域を定めるための開口部８１と、この表示板５０と略平行状態をなすように、開口部８１の周囲に延在する略平板状の筐体本体部８２とを有している。
【００２４】
そして、この筐体本体部８２には、図３に示すように弾性部材１１０を圧入固定するための内側突出壁部８２ａと外側突出壁部８２ｂとが設けられている。この内側突出壁部８２ａ及び外側突出壁部８２ｂは、ともに筐体本体部８２の背面から表示板５０側に向けて垂下するように形成され、弾性部材１１０を圧入固定するための圧入固定用リブとしての機能を有している。
【００２５】
なお、弾性部材１１０の内側突出壁部８２ａ及び外側突出壁部８２ｂへの圧入固定状態にあっては、弾性部材１１０の内周面Ｐ１が内側突出壁部８２ａと当接（密着）し、弾性部材１１０の外周面Ｐ２が内側突出壁部８２ａを包囲するように設けられる外側突出壁部８２ｂと当接（密着）している。
【００２６】
図３中、８２ｃは、内側突出壁部８２ａと外側突出壁部８２ｂとの間に位置する筐体本体部８２箇所において、指針４０の作動範囲に沿った形で、等間隔に複数個形成された結合用孔部である。また、図３中、８２ｄは、開口部８１と筐体本体部８２との境界部分となる筐体本体部８２の内周面に設けられた溝部であり、この溝部８２ｄには透視パネル１００の周縁部分が固定（凹凸結合）される。
【００２７】
装飾部材９０は、例えばその母材となる合成樹脂材の外表面に金属塗装等が施された略環状の装飾リングからなり、指針４０の作動範囲を取り巻くように前面側筐体８０に取り付けられる。この場合、速度計が前記ハンドルに搭載された状態にあっては、装飾部材９０や前面側筐体８０は、他の部材によって覆われておらず、大気中に晒されている。
【００２８】
なお、９１は、前面側筐体８０に形成された結合用孔部８２ｃに溶着可能に設けられる溶着部としての溶着用突起であり、この溶着用突起９１は、装飾部材９０から表示板５０側に向けて垂下形成され、前面側筐体８０の各結合用孔部８２ｃにそれぞれ対応する位置に設けられる。また、本例の場合、結合用孔部８２ｃと装飾部材９０に備えられる溶着用突起９１とは、装飾部材９０（図１中、仮想ラインＬ）に沿うように複数個形成されている。
【００２９】
ここで、装飾部材９０を前面側筐体８０に組み付ける（固着）するための組み付け例を説明する。まず、前面側筐体８０の各結合用孔部８２ｃと装飾部材９０の各溶着用突起９１とがそれぞれ向かい合うように、前面側筐体８０と装飾部材９０とを位置合わせし、この状態から装飾部材９０を前面側筐体８０側に移動させると、各溶着用突起９１が各結合用孔部８２ｃを貫通し、前面側筐体８０の背後側に突出した各溶着用突起９１部分が、溶着によって前面側筐体８０に設けた各結合用孔部８２ｃに溶着固定される。これにより装飾部材９０が前面側筐体８０に組み付けられ（固着される）ことになる。
【００３０】
透視パネル１００は、透光性の合成樹脂材料によって略平板状に形成され、この場合、前面側筐体８０に透視パネル１００がインサート成型されることで、前面側筐体８０と透視パネル１００とで構成される上ケースを得ることができる。なお、前記インサート成型によって、透視パネル１００の前記周縁部分が筐体本体部８２の溝部８２ｄに固定されることで、前面側筐体８０と透視パネル１００とが一体化された上ケースが構成されることになる。
【００３１】
また、ここでの詳細図示は省略するが、前記上ケースと、回路基板１０や駆動装置３０を収納するとともに前記上ケースと対をなすように設けられる下ケースとで速度計の外装ケースを構成することになる。
【００３２】
そして、速度計を視認する視認者は、透視パネル１００を通じて、指針４０や計測値表示部５１を透視（視認）することができ、指針４０と計測値表示部５１との対比判読により車両の走行速度を把握することができる。
【００３３】
弾性部材１１０は、例えば弾性を有するゴム材によって略環状に形成されるものであり、視認者側から速度計（前面側筐体８０）を正視した際に装飾部材９０と重なるように配置される。
【００３４】
この場合、弾性部材１１０は、上述したように内側突出壁部８２ａと外側突出壁部８２ｂとの間に圧入固定されるものであり、大気中に晒されている装飾部材９０の外表面に水などの水分がかかった際に、当該水分が結合用孔部８２ｃと溶着用突起９１との間の形成される（寸法公差に起因した）僅かな隙間を通り、表示板５０側に侵入するのを防止する防水機能を少なくとも有している。
【００３５】
もう少し詳しく言うと、この場合、筐体本体部８２の内側突出壁部８２ａと弾性部材１１０の内周面Ｐ１、並びに筐体本体部８２の外側突出壁部８２ｂと弾性部材１１０の外周面Ｐ２が密着するように、弾性部材１１０が内側突出壁部８２ａと外側突出壁部８２ｂとの間に圧入固定されているため、内側突出壁部８２ａと内周面Ｐ１との間のクリアランスや、外側突出壁部８２ｂと外周面Ｐ２との間のクリアランスは存在せず、前記隙間を通った水分が表示板５０側に侵入しないような構成となっている。
【００３６】
なお、図３中、１１１は、弾性部材１１０の視認者側を向く面である前面部であり、この前面部１１１は、筐体本体部８２（前面側筐体８０）に当接している。
【００３７】
そして、本例の場合、各溶着用突起９１に対応する前面部１１１箇所には、各溶着用突起９１を避けるような凹部（凹溝）形状からなる窪み部１１１ａが複数個設けられている。この窪み部１１１ａは、各溶着用突起９１を収容するための収容部としての機能を有し、各溶着用突起９１との干渉を回避することを目的として設けられる。
【００３８】
また、図３中、１１２は、弾性部材１１０の視認者側を向く面とは反対側に位置する底面部であり、この弾性部材１１０に備えられる底面部１１２が表示板５０に当接していることにより、速度計に何らかの原因で振動が加わった（作用した）場合に、当該振動に対して弾性部材１１０が表示板５０の振れ止めとして機能するという利点がある。
【００３９】
以上のように、本実施形態では、指針４０の作動範囲を取り巻くように前面側筐体８０に取り付けられる装飾部材９０を有し、装飾部材９０は、前面側筐体８０に形成された結合用孔部８２ｃに溶着可能に設けられる溶着用突起（溶着部）９１を備え、表示板５０と前面側筐体８０との間には、装飾部材９０と重なるように防水機能を少なくとも有する弾性部材１１０が介装されているものである。また、弾性部材１１０は、筐体本体部８２（前面側筐体８０）に当接する前面部１１１を備え、この前面部１１３は、溶着用突起９３を収容するための窪み部１１１ａを有しているものである。
【００４０】
従って、従来のように溶着部分（溶着用突起）が内部に埋まるように接着剤を塗布するといった手間のかかる作業が不要となり、大気中に晒されている装飾部材９０の直下において、表示板５０と前面側筐体８０との間に（溶着用突起９１を避けるように）弾性部材１１０を介装させるだけで、手間をかけずに表示板５０側への水分の侵入が防止される構成となり、製造コストの上昇を抑えながら、防水性を確保することが可能な計器装置を提供することができる。
【００４１】
（第２実施形態）次に、本発明の第２実施形態を図４、図５に基づいて説明するが、前述の第１実施形態と同一もしくは相当個所には同一の符号を用いてその詳細な説明は省略する。
【００４２】
この第２実施形態では、指針４０と表示板５０とで情報表示体Ｄ１が構成されているのではなく、計器用ディスプレイ１２０と表示板１５０とで情報表示体Ｄ２が構成される。つまり、この第２実施形態における計器装置は、デジタル式の速度計である。
【００４３】
計器用ディスプレイ１２０は、車両の走行速度をはじめとする各種車両情報を表示する略矩形の液晶表示パネルを適用することができる。なお、この場合、計器用ディスプレイ１２０の表示制御を行うマイクロコンピュータからなる制御部（図示せず）が回路基板１０に実装されている。
【００４４】
また、表示板１５０は、表示板１５０の母材となる前記透光性基材の前面（あるいは背面）に黒色の遮光性インクにより背景部１５１が印刷形成された前面パネルからなり、計器用ディスプレイ１２０に対応する表示板１５０箇所には、略矩形の貫通孔形状からなる表示窓部（貫通部）１５２が開口形成されている。
【００４５】
つまり、本第２実施形態では、情報表示体Ｄ２が、計器用ディスプレイ１３０と、当該計器用ディスプレイ１２０に対応して表示窓部（貫通部）１５２が形成された表示板（前面パネル）１５０とからなる構成となり、視認者側から速度計を正視した際に、装飾部材９０は、計器用ディスプレイ１２０を取り巻くように前面側筐体８０に取り付けられ、さらに前記第１実施形態と同様に表示板１５０と前面側筐体８０との間には、装飾部材９０と重なるように防水機能を少なくとも有する弾性部材１１０が介装される構成となる。
【００４６】
従って、この第２実施形態においても、大気中に晒されている装飾部材９０の直下において、表示板５０と前面側筐体８０との間に（溶着用突起９１を避けるように）弾性部材１１０を介装させるだけで、手間をかけずに表示板５０側への水分の侵入が防止される構成となり、前記第１実施形態と同様の作用効果を得ることができる。
【００４７】
なお、この第２実施形態の場合、計器用ディスプレイ１２０に対応する表示板１５０箇所に貫通孔形状の表示窓部１５２が形成されている例について説明したが、例えば、ここでの詳細図示は省略するが計器用ディスプレイ１２０に対応する表示板１５０箇所に表示窓部１５２ではなく透視部を設けてもよい。具体的には、計器用ディスプレイ１２０に対応して表示板１５０に形成される前記透視部は、背景部１５１を形成する遮光性インクを抜き印刷することにより、背景部１５１が形成されない抜き印刷部（つまり前記前記透光性基材が部分的に露出する透明部分）として設けられることになる。
【符号の説明】
【００４８】
４０    指針
５０    表示板（前面パネル）
５１    計測値表示部
８０    前面側筐体
８１    開口部
８２    筐体本体部
８２ａ  内側突出壁部
８２ｂ  外側突出壁部
８２ｃ  結合用孔部
８２ｄ  溝部
９０    装飾部材
９１    溶着用突起（溶着部）
１００    透視パネル
１１０    弾性部材
１１１    前面部
１１１ａ  窪み部
１１２    底面部
Ｄ１、Ｄ２  情報表示体
Ｌ    仮想ライン
Ｐ１    弾性部材の内周面
Ｐ２    弾性部材の外周面
【図１】
2017083275.tif 000003
【図２】
2017083275.tif 000004
【図３】
2017083275.tif 000005
【図４】
2017083275.tif 000006
【図５】
2017083275.tif 000007